(57)【要約】      （修正有）【課題】一の部位に対して異なる方向に沿って延びる部位を有していても、作業時間を短縮するとともに製造コストを低減することができる接合補助具、接合構造、建築金物及び家具を提供することを目的とする。【解決手段】接合補助具５０は、第一部材３０と第二部材４０とが接合された状態において、第一部材の第二部材に近い側の端部に嵌入可能な中空の第一嵌入部５２と、第一嵌入部の軸線方向とは異なる方向に沿って延び、第二部材の第一部材に近い側の端部に嵌入可能な中空の第二嵌入部５６と、を備える。第１部材及び第２部材は、それぞれの外表面に接合面が表れないように接合される。【選択図】図５
0003212125.tif 000002
【実用新案登録請求の範囲】
【請求項１】
所定の方向に沿って延びる筒状の第一部材と、前記第一部材の軸線方向における一方の端部から前記第一部材とは異なる方向に沿って延びる第二部材を、
前記第一部材及び前記第二部材の外表面に、前記第一部材及び前記第二部材の接合面が表れないように、接合可能とする接合補助具であって、
前記第一部材と前記第二部材とが接合された状態における前記第一部材の前記第二部材に近い側の端部に、嵌入可能な中空又は中実の第一嵌入部と、
前記第一嵌入部の軸線方向における一方の端部から前記第一嵌入部とは異なる方向に沿って延びて、前記第一部材と前記第二部材とが接合された状態における前記第二部材の前記第一部材に近い側の端部に、嵌入可能な中空又は中実の第二嵌入部と、
を備えていることを特徴とする接合補助具。
【請求項２】
前記第一部材と前記第二部材とが接合された状態における前記第一部材と前記第二部材の境界部分及びその周辺に対応する部分に、前記第一部材と前記第二部材とが干渉することを防止する逃がし部が配設されていることを特徴とする請求項１に記載の接合補助具。
【請求項３】
所定の方向に沿って延びる筒状の第一部材と、
前記第一部材の軸線方向における一方の端部から前記第一部材とは異なる方向に沿って延びる第二部材と、
請求項１に記載の接合補助具と、
を備え、
前記接合補助具は、
組み付けられた状態における、
前記第一部材の前記第二部材に近い側の端部に嵌入可能な第一嵌入部と、
前記第二部材の前記第一部材に近い側の端部に嵌入可能な第二嵌入部と、
を備え、
前記第一部材は、前記第一嵌入部が嵌入される第一被嵌入部を備え、
前記第二部材は、前記第二嵌入部が嵌入される第二被嵌入部を備え、
前記第一被嵌入部に前記第一嵌入部が嵌入された状態、かつ、前記第二被嵌入部に前記第二嵌入部が嵌入された状態で、前記第一部材及び前記第二部材の外表面に、前記第一部材及び前記第二部材の接合面が表れないように、前記第一部材と前記第二部材とが接合されていることを特徴とする接合構造。
【請求項４】
所定の方向に沿って延びる角筒状の第一部材と、
前記第一部材の軸線方向における一方の端部から前記第一部材とは異なる方向に沿って延びる角筒状の第二部材と、
請求項２に記載の接合補助具と、
を備え、
前記接合補助具は、
組み付けられた状態における、
前記第一部材の前記第二部材に近い側の端部に嵌入可能な第一嵌入部と、
前記第二部材の前記第一部材に近い側の端部に嵌入可能な第二嵌入部と、
を備え、
前記第一部材は、前記第一嵌入部が嵌入される第一被嵌入部を備え、
前記第二部材は、前記第二嵌入部が嵌入される第二被嵌入部を備え、
前記第一被嵌入部に前記第一嵌入部が嵌入された状態、かつ、前記第二被嵌入部に前記第二嵌入部が嵌入された状態で、前記第一部材及び前記第二部材の外表面に、前記第一部材及び前記第二部材の接合面が表れないように、前記第一部材と前記第二部材とが接合されていることを特徴とする接合構造。
【請求項５】
前記第一部材及び前記第二部材が、難溶接性の部材で形成されていることを特徴とする請求項３又は４に記載の接合構造。
【請求項６】
請求項３、４又は５に記載の接合構造と、前記接合構造と接合される把手部材と、を備え、
前記第一部材、前記第二部材のいずれか一方が、取付面に取り付けられ、
前記第一部材、前記第二部材の他方が、前記把手部材と連結されていることを特徴とする建築金物又は家具。
【請求項７】
請求項３、４又は５に記載の接合構造と、前記接合構造と接合される支柱部材と、を備え、
前記第一部材及び前記第二部材において、前記支柱部材と連結されていることを特徴とする家具。
【考案の詳細な説明】
【技術分野】
【０００１】
本考案は、筒状の部材を接合する接合補助具と、それを用いた接合構造、建築金物及び家具に関するものである。
【背景技術】
【０００２】
従来のドアハンドルのような建築金物では、取付面から延びる一対の取付部と、取付部に対して屈曲するとともに取付面に沿って延びる把手部と、を備えて略コの字状に構成されていた。そして、当該建築金物は、金属の無垢材を切削加工して製造することが行われていた。
【考案の概要】
【考案が解決しようとする課題】
【０００３】
しかし、上記の建築金物では、把手部と取付部の境界部分は、一の部位に対して異なる方向に沿って延びる部位となり、直方体状の無垢材を、さらに小型の直方体状に切削する必要があるので、作業時間がかかるうえ、製造コストが高くなるという問題があった。
【０００４】
本考案は、上記事情に鑑み、一の部位に対して異なる方向に沿って延びる部位を有していても、作業時間を短縮するとともに製造コストを低減することができる接合補助具、接合構造、建築金物及び家具を提供することを目的とする。
【課題を解決するための手段】
【０００５】
請求項１記載の考案では、所定の方向に沿って延びる筒状の第一部材と、前記第一部材の軸線方向における一方の端部から前記第一部材とは異なる方向に沿って延びる第二部材を、前記第一部材及び前記第二部材の外表面に、前記第一部材及び前記第二部材の接合面が表れないように、接合可能とする接合補助具であって、前記第一部材と前記第二部材とが接合された状態における前記第一部材の前記第二部材に近い側の端部に、嵌入可能な中空又は中実の第一嵌入部と、前記第一嵌入部の軸線方向における一方の端部から前記第一嵌入部とは異なる方向に沿って延びて、前記第一部材と前記第二部材とが接合された状態における前記第二部材の前記第一部材に近い側の端部に、嵌入可能な中空又は中実の第二嵌入部と、を備えている。
【０００６】
これによれば、第一部材、第二部材として既存のパイプを加工、使用し、第一嵌入部及び第二嵌入部を嵌入することで、第一部材と第二部材の接合作業を行うことが可能となる。よって、一の部材に対して異なる方向に沿って延びる部位を有していても、作業時間を短縮するとともに製造コストを低減することができる。
【０００７】
請求項２記載の考案では、前記第一部材と前記第二部材とが接合された状態における前記第一部材と前記第二部材の境界部分及びその周辺に対応する部分に、前記第一部材と前記第二部材とが干渉することを防止する逃がし部が配設されている。
【０００８】
これによれば、第一部材と第二部材の接合される部位が干渉することを防止して、隙間が生じることを防止して、第一部材と第二部材が接合された状態における外観を良好なものとすることができる。特に、接合補助具が、板金加工等して形成され、第一部材と第二部材の境界部分に対応する部分に円弧状の部分が形成されて、第一部材と第二部材の接合される部位が干渉するような場合に有効である。
【０００９】
請求項３記載の考案では、所定の方向に沿って延びる筒状の第一部材と、前記第一部材の軸線方向における一方の端部から前記第一部材とは異なる方向に沿って延びる第二部材と、請求項１に記載の接合補助具と、を備え、前記接合補助具は、組み付けられた状態における、前記第一部材の前記第二部材に近い側の端部に嵌入可能な第一嵌入部と、前記第二部材の前記第一部材に近い側の端部に嵌入可能な第二嵌入部と、を備え、前記第一部材は、前記第一嵌入部が嵌入される第一被嵌入部を備え、前記第二部材は、前記第二嵌入部が嵌入される第二被嵌入部を備え、前記第一被嵌入部に前記第一嵌入部が嵌入された状態、かつ、前記第二被嵌入部に前記第二嵌入部が嵌入された状態で、前記第一部材及び前記第二部材の外表面に、前記第一部材及び前記第二部材の接合面が表れないように、前記第一部材と前記第二部材とが接合されている。
【００１０】
請求項４記載の考案では、所定の方向に沿って延びる角筒状の第一部材と、前記第一部材の軸線方向における一方の端部から前記第一部材とは異なる方向に沿って延びる角筒状の第二部材と、請求項２に記載の接合補助具と、を備え、前記接合補助具は、組み付けられた状態における、前記第一部材の前記第二部材に近い側の端部に嵌入可能な第一嵌入部と、前記第二部材の前記第一部材に近い側の端部に嵌入可能な第二嵌入部と、を備え、前記第一部材は、前記第一嵌入部が嵌入される第一被嵌入部を備え、前記第二部材は、前記第二嵌入部が嵌入される第二被嵌入部を備え、前記第一被嵌入部に前記第一嵌入部が嵌入された状態、かつ、前記第二被嵌入部に前記第二嵌入部が嵌入された状態で、前記第一部材及び前記第二部材の外表面に、前記第一部材及び前記第二部材の接合面が表れないように、前記第一部材と前記第二部材とが接合されている。
【００１１】
請求項５記載の考案では、前記第一部材及び前記第二部材が、難溶接性の部材で形成されている。
【００１２】
これによれば、第一部材及び第二部材が、難溶接性の部材で形成されると、欠陥の無い健全な溶接が可能か、溶接後の継手性能が使用目的などを満足できるか、という使用性能に問題が生じるので、無垢材を切削加工して製造していたが、第一部材、第二部材として既存のパイプを加工、使用して、第一嵌入部及び第二嵌入部を嵌入することで、第一部材と第二部材の接合作業を行うことが可能となる。よって、作業時間を短縮するとともに製造コストを低減することができる。
【００１３】
請求項６記載の考案では、請求項３、４又は５に記載の接合構造と、前記接合構造と接合される把手部材と、を備え、前記第一部材、前記第二部材のいずれか一方が、取付面に取り付けられ、前記第一部材、前記第二部材の他方が、前記把手部材と連結されている建築金物又は家具としている。
【００１４】
請求項７記載の考案では、請求項３、４又は５に記載の接合構造と、前記接合構造と接合される支柱部材と、を備え、前記第一部材及び前記第二部材において、前記支柱部材と連結されている家具としている。
【図面の簡単な説明】
【００１５】
【図１】本考案の第一の実施形態のドアハンドルの側面図である。
【図２】同実施形態のドアハンドルの正面図である。
【図３】同実施形態のドアハンドルの平面図である。
【図４】接合補助具の（ａ）は側面図、（ｂ）は（ａ）のＩＶｂ線矢視図、（ｃ）は（ａ）のＩＶｃ線矢視図である。
【図５】接合構造の組み付け説明図である。
【図６】本考案の第二の実施形態のドアハンドルの側面図である。
【図７】同実施形態のドアハンドルの正面図である。
【図８】同実施形態のドアハンドルの平面図である。
【図９】接合補助具の（ａ）は側面図、（ｂ）は（ａ）のＩＸｂ線矢視図、（ｃ）は（ａ）のＩＸｃ線矢視図である。
【図１０】接合構造の組み付け説明図である。
【図１１】本考案の建築金物を手摺として適用した斜視図である。
【図１２】家具としての椅子に適用した場合の斜視図である。
【図１３】家具としての引き出しに適用した場合の斜視図である。
【考案を実施するための形態】
【００１６】
本考案の建築金物の一実施形態について図面に基づいて説明する。以下の説明において、各図面に記載される矢印の、Ｆを前、Ｂを後ろ、Ｒを右、Ｌを左、Ｕを上、Ｄを下、とする。
【００１７】
本実施形態では、建築金物としてのドアハンドル２０（区別するときは、ドアハンドル２０−１、２０−２とする）に適用する場合を説明する。
【００１８】
ドアハンドル２０は、図１〜５に示すように、ドア本体１０に取り付けられる第一部材３０と、第一部材３０と接合されるとともに異なる方向に延びる第二部材４０と、接合補助具５０と、第二部材４０と連結される把手部材７０と、第二部材４０とドア本体１０とを連結する連結部材８０と、を備える。
【００１９】
ドア本体１０は、矩形平板状に形成され、図１、３に示すように、前後方向に貫通した貫通孔１０ａが配設され、ドアハンドル２０を取り付け可能とされている。
【００２０】
第一部材３０（区別するときは、第一部材３０−１、３０−２、３０−３、３０−４とする）は、図１〜３、５に示すように、アルミニウムで円筒状に形成され、軸線方向における、一端側（図１におけるドア本体１０側）が軸線に対して直交するように切断されて形成され、他端側（図１におけるドア本体１０とは反対側）が軸線に対して斜めに切断されて形成されている。本実施形態では、他端側の端面は軸線に対して４５度斜めとなるように切断されている。そして、当該端面が接合面３０ａとされる。
【００２１】
第一部材３０は、後述する第一嵌入部５２が嵌入される第一被嵌入部３１を備えている。本実施形態では、第一部材３０の内周面側が、第一被嵌入部３１とされる。
【００２２】
ドア本体１０の前面１０ｂ側に配置される第一部材３０−１、３０−２の第二部材４０−１、４０−２から遠い側（ドア本体１０側）となる端部には、外周面から内周面まで貫通する一対の貫通孔３０ｂが形成され、ねじ部材９５を挿通可能とされている。
【００２３】
第二部材４０（区別するときは、第二部材４０−１、４０−２、４０−３、４０−４とする）は、図１〜３、５に示すように、アルミニウムで円筒状に形成され、軸線方向における、一端側（図１における、第二部材４０−１、４０−３では下端側、第二部材４０−２、４０−４では上端側）が軸線に対して直交するように切断されて形成され、他端側（図１における、第二部材４０−１、４０−３では上端側、第二部材４０−２、４０−４では下端側）が軸線に対して斜めに切断されて形成されている。本実施形態では、他端側の端面は軸線に対して４５度斜めとなるように切断されている。そして、当該端面が接合面４０ａとされる。
【００２４】
第二部材４０は、後述する第二嵌入部５６が嵌入される第二被嵌入部４１を備えている。本実施形態では、第二部材４０の内周面側が、第二被嵌入部４１とされる。
【００２５】
接合補助具５０（区別するときは、接合補助具５０−１、５０−２、５０−３、５０−４とする）は、図４、５に示すように、ステンレスで円筒状、かつ、外形形状が略Ｌ字状に形成されている。
【００２６】
接合補助具５０は、第一形成部材５１と、第二形成部材５５と、で構成されている。
【００２７】
本実施形態では、図４、５において参照するように、第一形成部材５１及び第二形成部材５５は、第一形成部材５１と第二形成部材５５とが接合された状態における、第一形成部材５１では第二形成部材５５から遠い側となる端部、第二形成部材５５では第一形成部材５１から遠い側の端部、が軸線に対して直交するように切断されて形成され、第一形成部材５１では第二形成部材５５から近い側となる端部、第二形成部材５５では第一形成部材５１から近い側の端部、が軸線に対して斜めに切断されて形成されている。
【００２８】
本実施形態では、第一形成部材５１では第二形成部材５５から近い側となる端部、第二形成部材５５では第一形成部材５１から近い側となる端部、の端面は軸線に対して４５度斜めとなるように切断されている。そして、当該端面がそれぞれ接合面５１ａ、５５ａとされる。
【００２９】
ドア本体１０の前側に配置される接合補助具５０−１、５０−２の第一形成部材５１の第二形成部材５５から遠い側となる端部には、外周面から内周面まで貫通する一対の貫通孔５１ｂが形成され、貫通孔３０ｂと連通してねじ部材９５を挿通可能とされている。
【００３０】
接合補助具５０は、第一形成部材５１と、第二形成部材５５と、の接合面５１ａ、５５ａどうしを、当接させて溶接等して接合して形成されている。本実施形態では、第二形成部材５５が、第一形成部材５１に対して直交する方向に延びるように形成されている。換言すれば、第二形成部材５５は、第一形成部材５１に対して異なる方向に延びていることになる。
【００３１】
接合補助具５０は、組み付けられた状態における、第一部材３０の第二部材４０に近い側の端部に嵌入可能な第一嵌入部５２と、第二部材４０の第一部材３０に近い側の端部に嵌入可能な第二嵌入部５６と、を備えている。本実施形態では、第一形成部材５１が、第一嵌入部５２とされ、第二形成部材５５が、第二嵌入部５６とされる。
【００３２】
第一被嵌入部３１に第一嵌入部５２を嵌入し、かつ、第二被嵌入部４１に第二嵌入部５６を嵌入して、第一被嵌入部３１と第一嵌入部５２、かつ、第二被嵌入部４１と第二嵌入部５６、を接着剤を介して接合することで、第一部材３０及び第二部材４０の外表面に、第一部材３０及び第二部材４０の接合面３０ａ、４０ａが表れないように、第一部材３０と第二部材４０とが接合されて、接合構造６０が完成する。第一部材３０と、第二部材４０と、接合補助具５０と、が組み合せられることで接合構造６０が構成される。
【００３３】
本実施形態では、第二部材４０が、第一部材３０に対し直交する方向に延びるように形成されている。換言すれば、第二部材４０は、第一部材３０に対して異なる方向（直交する方向）に延びていることになる。
【００３４】
把手部材７０（区別するときは、把手部材７０−１、７０−２とする）は、図１〜３に示すように、木製の無垢材が用いられ円柱状に形成されている。
【００３５】
上側に配置される第二部材４０−１、４０−３の下端部と対応する把手部材７０−１、７０−２の上端部、下側に配置される第二部材４０−２、４０−４の上端部と対応する把手部材７０−１、７０−２の下端部、とは図示しない螺合部材、コマ、ワッシャ等を用いて既存の方法で連結されて、ドアハンドル２０は、略コの字状に形成されている。
【００３６】
本実施形態では、ドアハンドル２０は、一対の接合構造６０と、把手部材７０と、で構成されることになる。
【００３７】
接合補助具５０を介して組み付けられたドアハンドル２０は、図１〜３に示すように、螺合部材９１によって締結されることでドア本体１０の前面１０ｂ又は後面１０ｃに取り付けられる。
【００３８】
前面側に配置される第一部材３０−１、３０−２内には、螺合部材９１の頭部９１ａが配置され、ワッシャ９２と、第一形成部材５１の内周面に嵌め込み可能な円筒状のコマ９３とを介して、ドア本体１０の貫通孔１０ａを挿通して、螺合部材９１のねじ部分９１ｂが、第一部材３０及び第一形成部材５１内に配置されている。
【００３９】
ドア本体１０の後面１０ｃに取り付けられる第一形成部材５１内に嵌め込まれたれたナット部材９４と、螺合部材９１とを螺合するとともに、コマ９３に貫通孔１０ａに対して直交する方向に沿って形成されたねじ孔９３ａに貫通孔３０ｂ、貫通孔５１ｂを連通させたうえで、ねじ孔９３ａとねじ部材９５を螺合して、第一部材３０−１、３０−２、３０−３、３０−４は、ドア本体１０の前面１０ｂ、後面１０ｃにそれぞれ取り付けられている。
【００４０】
連結部材８０（区別するときは、連結部材８０−１、８０−２、８０−３、８０−４とする）は、ステンレスで円筒状に形成され、第二部材４０とドア本体１０に対して、図示しない螺合部材、コマ、ワッシャ等を用いて既存の方法で連結されている。
【００４１】
上記構成のドアハンドル２０の接合補助具５０では、所定の方向に沿って延びる筒状の第一部材３０と、第一部材３０の軸線方向における一方の端部から第一部材３０とは異なる方向に沿って延びる第二部材４０を、第一部材３０及び第二部材４０の外表面に、第一部材３０及び第二部材４０の接合面３０ａ、４０ａが表れないように、接合可能とする接合補助具であって、第一部材３０と第二部材４０とが接合された状態における第一部材３０の第二部材４０に近い側の端部に、嵌入可能な中空の第一嵌入部５２と、第一嵌入部５２の軸線方向における一方の端部から第一嵌入部５２とは異なる方向に沿って延びて、第一部材３０と第二部材４０とが接合された状態における第二部材４０の第一部材３０に近い側の端部に、嵌入可能な中空又の第二嵌入部５６と、を備えている。
【００４２】
これによれば、第一部材３０、第二部材４０として既存のパイプを加工、使用し、第一嵌入部５２及び第二嵌入部５６を嵌入することで、第一部材３０と第二部材４０の接合作業を行うことが可能となる。よって、一の部材に対して異なる方向に沿って延びる部位を有していても、作業時間を短縮するとともに製造コストを低減することができる。
【００４３】
また、接合構造６０においては、第一部材３０及び第二部材４０が、難溶接性の部材であるステンレスで形成されている。
【００４４】
これによれば、第一部材３０及び第二部材４０が、難溶接性の部材で形成されると、欠陥の無い健全な溶接が可能か、溶接後の継手性能が使用目的などを満足できるか、という使用性能に問題が生じるので、無垢材を切削加工して製造していたが、第一部材３０、第二部材４０として既存のパイプを加工、使用して、第一嵌入部５２及び第二嵌入部５６を嵌入することで、第一部材３０と第二部材４０の接合作業を行うことが可能となる。よって、作業時間を短縮するとともに製造コストを低減することができる。
【００４５】
本考案の第二の実施形態について、図６〜１０に基づいて説明する。以下の説明において、第一の実施形態と同じ構成については、同一符号を付し全部又は一部の説明を省略する。
【００４６】
本実施形態では、建築金物としてのドアハンドル２０Ａ（区別するときは、ドアハンドル２０Ａ−１、２０Ａ−２とする）に適用する場合を説明する。
【００４７】
ドアハンドル２０Ａは、図６〜１０に示すように、ドア本体１０に取り付けられる第一部材１３０と、第一部材１３０と接合されるともに異なる方向に延びる第二部材１４０と、接合補助具１５０と、第二部材１４０と連結される把手部材１７０と、第二部材１４０とドア本体１０とを連結する連結部材１８０と、を備える。
【００４８】
ドア本体１０は、矩形平板状に形成され、図６、８に示すように、前後方向に貫通した貫通孔１０ａが配設され、ドアハンドル２０Ａを取り付け可能とされている。
【００４９】
第一部材１３０（区別するときは、第一部材１３０−１、１３０−２、１３０−３、１３０−４とする）は、図６〜８、１０に示すように、アルミニウムで角筒状に形成され、軸線方向における、一端側（図６におけるドア本体１０側）が軸線に対して直交するように切断されて形成され、他端側（図６におけるドア本体１０とは反対側）が軸線に対して斜めに切断されて形成されている。本実施形態では、他端側の端面は軸線に対して４５度斜めとなるように切断されている。そして、当該端面が接合面１３０ａとされる。
【００５０】
第一部材１３０は、後述する第一嵌入部１５２が嵌入される第一被嵌入部１３１を備えている。本実施形態では、第一部材１３０の内周面側が、第一被嵌入部１３１とされる。
【００５１】
ドア本体１０の前面１０ｂ側に配置される第一部材１３０−１、１３０−２の第二部材１４０−１、１４０−２から遠い側（ドア本体１０側）となる端部には、外周面から内周面まで貫通する一対の貫通孔１３０ｂが形成され、ねじ部材９５を挿通可能とされている。
【００５２】
第二部材１４０（区別するときは、第二部材１４０−１、１４０−２、１４０−３、１４０−４とする）は、図６〜８、１０に示すように、アルミニウムで角筒状に形成され、軸線方向における、一端側（図６における、第二部材１４０−１、１４０−３では下端側、第二部材１４０−２、１４０−４では上端側）が軸線に対して直交するように切断されて形成され、他端側（図６における、第二部材１４０−１、１４０−３では上端側、第二部材１４０−２、１４０−４では下端側）が軸線に対して斜めに切断されて形成されている。本実施形態では、他端側の端面は軸線に対して４５度斜めとなるように切断されている。そして、当該端面が接合面１４０ａとされる。
【００５３】
第二部材１４０は、後述する第二嵌入部１５６が嵌入される第二被嵌入部１４１を備えている。本実施形態では、第二部材１４０の内周面側が、第二被嵌入部１４１とされる。
【００５４】
接合補助具１５０（区別するときは、接合補助具１５０−１、１５０−２、１５０−３、１５０−４とする）は、図９、１０に示すように、ステンレスで角筒状、かつ、外形形状が略Ｌ字状に形成されている。本実施形態では、筒状の部材が板金加工されることにより、角筒状、かつ、外形形状が略Ｌ字状に形成されている。
【００５５】
接合補助具１５０は、組み付けられた状態における、第一部材１３０の第二部材１４０に近い側の端部に嵌入可能な第一嵌入部１５２と、第二部材１４０の第一部材１３０に近い側の端部に嵌入可能な第二嵌入部１５６と、を備え、第一嵌入部１５２が、第二嵌入部１５６に対して直交する方向に延びるように形成されている。
【００５６】
換言すれば、第二嵌入部１５６は、第一嵌入部１５２に対して異なる方向に延びていることになる。なお、接合補助具１５０に、第一嵌入部１５２と第二嵌入部１５６との境界線は付されないが、理解を容易にするため、図４、５において二点鎖線を付している。
【００５７】
ドア本体１０の前面側に配置される、第一嵌入部１５２の第二嵌入部１５６から遠い側の端部には、外周面から内周面まで貫通する一対の貫通孔１５２ｂが形成され、貫通孔１３０ｂと連通してねじ部材９５を挿通可能とされている。
【００５８】
接合補助具１５０には、第一部材１３０と第二部材１４０とが接合された状態における、第一部材１３０と第二部材１４０とが干渉することを防止する逃がし部１５７が配設されている。
【００５９】
本実施形態では、図１０に示すように、第一嵌入部１５２の第二嵌入部１５６との境界部分を一辺として矩形状に、第二嵌入部１５６の第一嵌入部１５２との境界部分を一辺として矩形状に、切り取られて形成されている。換言すれば、第一部材１３０と第二部材１４０の境界部分及びその周辺に対応する部分に逃がし部１５７が配設されていることになる。
【００６０】
第一被嵌入部１３１に第一嵌入部１５２を嵌入し、かつ、第二被嵌入部１４１に第二嵌入部１５６を嵌入して、第一被嵌入部１３１と第一嵌入部１５２、かつ、第二被嵌入部１４１と第二嵌入部１５６、を接着剤を介して接合することで、第一部材１３０及び第二部材１４０の外表面に、第一部材１３０及び第二部材１４０の接合面１３０ａ、１４０ａが表れないように、第一部材１３０と第二部材１４０とが接合されて、接合構造１６０が完成する。第一部材１３０と、第二部材１４０と、接合補助具１５０と、が組み合せられることで接合構造１６０が構成される。
【００６１】
本実施形態では、第二部材１４０が、第一部材１３０に対し直交する方向に延びるように形成されている。換言すれば、第二部材１４０は、第一部材１３０に対して異なる方向（直交する方向）に延びていることになる。
【００６２】
把手部材１７０（区別するときは、把手部材１７０−１、１７０−２とする）は、図６〜８に示すように、木製の無垢材が用いられ円柱状に形成されている。
【００６３】
上側に配置される第二部材１４０−１、１４０−３の下端部と対応する把手部材１７０−１、１７０−２の上端部、下側に配置される第二部材１４０−２、１４０−４の上端部と対応する把手部材１７０−１、１７０−２の下端部、とは図示しない螺合部材、コマ、ワッシャ等を用いて既存の方法で連結されて、ドアハンドル２０Ａは、略コの字状に形成されている。
【００６４】
本実施形態では、ドアハンドル２０Ａは、一対の接合構造１６０と、把手部材１７０と、で構成されることになる。
【００６５】
接合補助具１５０を介して組み付けられたドアハンドル２０Ａは、図６〜８に示すように、螺合部材９１によって締結されることでドア本体１０の前面１０ｂ又は後面１０ｃに取り付けられる。
【００６６】
前面１０ｂ側に配置される第一部材３０−１、３０−２内には、螺合部材９１の頭部９１ａが配置され、ワッシャ９２と、第一嵌入部１５２の内周面に嵌め込み可能な筒状のコマ９３とを介して、ドア本体１０の貫通孔１０ａを挿通して、螺合部材９１のねじ部分９１ｂが、第一部材１３０及び第一嵌入部１５２内に配置されている。
【００６７】
ドア本体１０の後面１０ｃに取り付けられる第一嵌入部１５２内に嵌め込まれたナット部材９４と、螺合部材９１とを螺合するとともに、コマ９３に貫通孔１０ａに対して直交する方向に沿って形成されたねじ孔９３ａに貫通孔３０ｂ、貫通孔５１ｂを連通させたうえで、ねじ孔９３ａとねじ部材９５を螺合して、第一部材１３０−１、１３０−２、１３０−３、１３０−４は、ドア本体１０の前面１０ｂ、後面１０ｃにそれぞれ取り付けられている。
【００６８】
連結部材１８０（区別するときは、連結部材１８０−１、１８０−２、１８０−３、１８０−４とする）は、は、ステンレスで円筒状に形成され、第二部材１４０とドア本体１０に対して、図示しない螺合部材、コマ、ワッシャ等を用いて既存の方法で連結されている。
【００６９】
上記構成のドアハンドル２０Ａの接合補助具１５０では、第一部材１３０と第二部材１４０とが接合された状態における第一部材１３０と第二部材１４０の境界部分及びその周辺に対応する部分に、第一部材１３０と第二部材１４０とが干渉することを防止する逃がし部１５７が配設されている。
【００７０】
これによれば、上記構成のドアハンドル２０の奏する効果に加えて、第一部材１３０と第二部材１４０の接合される部位が干渉することを防止して、隙間が生じることを防止して、第一部材１３０と第二部材１４０が接合された状態における外観を良好なものとすることができる。特に、接合補助具１５０が、板金加工等して形成されて、第一部材１３０と第二部材１４０の境界部分に対応する部分に円弧状の部分が形成されているので、第一部材１３０と第二部材１４０の接合される部位が干渉することを防止できることに寄与する。
【００７１】
介護用の手摺、階段の手摺等の建築金物に適用する場合には、図１１に示すように、接合構造６０と、接合構造６０と接合される把手部材７０と、を備え、第一部材３０が、取付面２０１に取り付けられ、一対の第二部材４０が、把手部材７０と連結する構成としている。
【００７２】
家具としての椅子３００の接合構造として適用する場合には、把手部材７０を用いて、椅子３００は、図１２に示すように、接合構造６０と、接合構造６０と接合される支柱部材３１０と、を備え、第一部材３０及び第二部材４０において、支柱部材３１０と連結する構成としている。
【００７３】
家具としての引き出し４００の引き手４１０として適用する場合には、図１３に示すように、接合構造６０と、接合構造６０と接合される引き手４１０と、を備え、第一部材３０が、取付面４０１に取り付けられ、一対の第二部材４０が、把手部材７０と連結されている構成としている。
【００７４】
本考案の接合補助具は上記構成に限定されるものではない。即ち、本考案の要旨を逸脱しない限り各種の設計変更等が可能である。以下に、変形した態様を例示する。
【００７５】
例えば  建築金物としてのドアハンドル２０、２０Ａは、開き戸、折戸、引き戸等に適用可能である。
【００７６】
また、建築金物としてのドアハンドル２０、２０Ａで説明しているが、例えば、手で把持できるものであれば、円筒状で握るタイプのドアノブ等に適用することができる。
【００７７】
また、第一嵌入部５２、１５２、第二嵌入部５６、１５６は、中実な部材を用いることができ、さらに、外形形状が、三角、五角柱状等の多角柱状、楕円、長円柱形状、その他の形状に適宜変形させて形成することができる。また、第一嵌入部５２、１５２、第二嵌入部５６、１５６に対応させて第一被嵌入部３１、１３１、第二被嵌入部４１、１４１の内周側形状を形成することもできる。
【００７８】
また、接合補助具５０、１５０は、強度を確保できるのであれば、鉄、その他の金属を用いることができる。
【００７９】
また、第一部材３０、１３０及び第二部材４０、１４０は、真鍮（しんちゅう）、チタン等の難溶接性の金属で構成することも可能である。
【００８０】
また、接合補助具５０は、第一形成部材５１と、第二形成部材５５とを接合して形成しているが、一体成形することも可能である。
【００８１】
もちろん、第二部材４０において取り付け対象物の取付部位に取り付け、第一部材３０で把手部材７０、支柱部材３１０と連結する構成とすることも可能である。
【符号の説明】
【００８２】
２０  ドアハンドル
２０Ａ  ドアハンドル
３０  第一部材
３０ａ  接合面
３１  第一被嵌入部
４０  第二部材
４０ａ  接合面
４１  第二被嵌入部
５０  接合補助具
５１ｂ  貫通孔
５２  第一嵌入部
５６  第二嵌入部
６０  接合構造
１３０  第一部材
１３０ａ  接合面
１３１  第一被嵌入部
１４０  第二部材
１４０ａ  接合面
１４１  第二被嵌入部
１５０  接合補助具
１５２  第一嵌入部
１５２ｂ  貫通孔
１５５ａ  接合面
１５６  第二嵌入部
１５７  逃がし部
１６０  接合構造
２００  手摺
２０１  取付面
３００  椅子
３１０  支柱部材
４００  引き出し
４０１  取付面
４１０  引き手
【図１】
0003212125.tif 000003
【図２】
0003212125.tif 000004
【図３】
0003212125.tif 000005
【図４】
0003212125.tif 000006
【図５】
0003212125.tif 000007
【図６】
0003212125.tif 000008
【図７】
0003212125.tif 000009
【図８】
0003212125.tif 000010
【図９】
0003212125.tif 000011
【図１０】
0003212125.tif 000012
【図１１】
0003212125.tif 000013
【図１２】
0003212125.tif 000014
【図１３】
0003212125.tif 000015